【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
ミキサー（１）中に高粘性化合物（１３）を添加するための装置であって、
ａ．閉鎖端および開口端を有し、ある量の高粘性化合物（１３）を収容するのに適した柔軟性内裏袋（１２）が前記開口端に固定された容器（１０）と、
ｂ．入口（２０）および出口（２１）を有し、前記容器（１０）の前記開口端が前記入口（２０）の上にまたはそれと連結されて配置される場合に、前記袋（１２）から前記高粘性化合物（１３）を受容し、前記高粘性化合物をミキサー（１）に送出するようになっている送出具（１５）と
を備え、
低摩擦表面を提供するために、前記送出具が低粘性流体で処理されることを特徴とする装置。
【請求項２】
シリコーンゴム組成物を含有する触媒を生成するための統合プロセスを用いるのに適した装置であって、
ｉ）請求項１に従ってミキサー（１）中に高粘性化合物（１３）を添加するための手段と、
ｉｉ）高剪断ミキサー（１）と、
ｉｉｉ）バルク固体冷却装置（７）と、
ｉｖ）集塊装置（８）と
を備え、
前記ミキサー（１）は複数の入口、出口、モーター（２）および１つまたは複数の高剪断羽根を有し、
前記モーター（２）は、その中に含まれる前記高剪断羽根に回転エネルギーを供給し、それにより１つまたは複数の前記入口を通して前記ミキサー中に導入される粉末を流動化するようになっており、
前記ミキサー（１）はさらに、前記流動粉末と混合して流動性粉末を生成し、１つまたは複数の前記入口を通して作用物質を処理するために、前記送出具（１５）により前記容器（１０）からポリマー供給口（４）を通して高粘性ポリマーを受容するようになっており、
前記バルク固体冷却機（７）は入口および出口を有し、バルク固体冷却機入口が前記ミキサー（１）から流動性粉末を受容するようになっており、この粉末は冷却機内で冷却されて、その後、前記バルク粉末冷却容器出口から、前記バルク固体冷却機中で冷却された任意の粉末を集塊するようになっている前記集塊装置（８）に搬送され、
前記装置は冷却の前、最中または後に前記ミキサー（１）中で調製された易流動性粉末中に１つまたは複数の添加剤を導入可能であるようになっている装置。
【請求項３】
前記送出具（１５）はテーパ状である請求項１または２に記載の装置。
【請求項４】
前記送出具（１５）は、その中に、前記ミキサーへの前記高粘性化合物の流動を制御する制御ロッド（１６）を少なくとも１つ有する請求項１〜３のいずれか一項に記載の装置。
【請求項５】
前記柔軟性内裏袋（１２）はプラスチックまたはゴムでコーティングされた布地から作られる請求項１〜４のいずれか一項に記載の装置。
【請求項６】
前記低粘性流体はポリジオルガノシロキサンである請求項１〜５のいずれか一項に記載の装置。
【請求項７】
前記バルク固体冷却装置（７）は、１つまたは複数のベルト冷却器、ジャケット付ミキサー、冷却用空気が吹き込まれ得る流動化ミキサー、及び内部に配置される１つまたは複数の冷却素子を有する流通装置である請求項２に記載の装置。
【請求項８】
前記集塊装置（８）は押出機である請求項２または７に記載の装置。
【請求項９】
バルク冷却前に塊、大型粒子および／または集塊物を排除または低減するようになっている手段（６）を通って流動性粉末が通過する請求項２、７または８に記載の装置。
【請求項１０】
シリコーンゴム組成物を含有する触媒を生成するための統合プロセスであって、
（Ａ）請求項１に記載の装置によって、ミキサー中に高粘稠性ポリジオルガノシロキサンゴムを導入する工程と、
（Ｂ）ミキサー（１）中に前記充填剤を導入し、８０℃〜約３５０℃の温度で高乱流流動状態で前記充填剤を保持し、ポリジオルガノシロキサンを導入してその結果生じる混合物に１〜１０００μの平均粒子サイズに達するのに十分な剪断力を施しながら高乱流流動状態に温度および前記充填剤を保持して、それにより流動性オルガノポリシロキサン粉末組成物を生成し、そして必要な場合に、高粘稠性ポリジオルガノシロキサンゴムの添加の前、最中または後に、前記ミキサー（１）中に前記処理剤を導入することにより、
ｉ）１００重量部の高粘稠性ポリジオルガノシロキサンゴムと、
ｉｉ）約１０〜８０重量部の処理または未処理強化シリカ充填剤と、
前記強化充填剤が処理されない場合には、
ｉｉｉ）前記強化シリカ充填剤の重量に基づく前記強化シリカ充填剤のための約１０〜４５重量％の処理剤と
を備える組成物を配合する工程と、
（Ｃ）流動性オルガノポリシロキサン粉末組成物をバルク固体冷却装置（７）に直接移し、かつ工程（Ｄ）で添加される触媒の分解および／または活性化温度より低い温度にそのバルク加速冷却を容易にする工程と、
（Ｄ）バルク冷却流動性オルガノポリシロキサン粉末組成物を集塊装置（８）に供給し、かつ工程（Ｄ）で添加される触媒の分解および／または活性化温度より低い温度でその中でオルガノポリシロキサン組成物を集塊する工程と、
（Ｅ）触媒の分解および／または活性化温度より低い温度で工程（Ｃ）の前、最中または後に、前記オルガノポリシロキサン組成物に触媒量の触媒を添加する工程と
を備える統合プロセス。
【請求項１１】
前記強化シリカ充填剤は、約７５ｍ2／ｇ〜１０００ｍ2／ｇの範囲内の表面積を有するヒュームドシリカである請求項１０に記載の統合プロセス。
【請求項１２】
前記高粘稠性ポリジオルガノシロキサン１００重量部あたり約２０〜５０重量部の強化シリカ充填剤を含む請求項１０または１１に記載の統合プロセス。
【請求項１３】
前記シリカ充填剤は、低分子量ヒドロキシ末端遮断ポリジメチルシロキサン流体で処理される請求項１０〜１２のいずれか一項に記載の統合プロセス。
【請求項１４】
前記強化シリカ充填剤の重量に基づき約１５〜３５重量％の処理剤を含む請求項１３に記載の統合プロセス。
【請求項１５】
前記工程（Ｂ）において、温度は約１００℃〜１８０℃の範囲内である請求項１０〜１４のいずれか一項に記載の統合プロセス。
【請求項１６】
前記触媒は、過酸化２，４−ジクロロベンゾイルおよび２，５−ビス（ｔｅｒｔ−ブチルペロキシ）−２，５−ジメチルヘキサンからなる群から選択される有機過酸化物である請求項１０〜１５のいずれか一項に記載の統合プロセス。
【請求項１７】
前記組成物の重量に基づき約０．１〜１０重量％の有機過酸化物を含む請求項１０〜１６のいずれか一項に記載の統合プロセス。
【請求項１８】
前記工程（Ｄ）の後に実行される混合工程で、前記触媒が添加される請求項１０〜１７のいずれか一項に記載の統合プロセス。
【請求項１９】
請求項１に記載の装置によって、高粘性化合物をミキサー（１）中に添加するための方法であって、
開口端に固定された柔軟性内裏袋（１２）を有し、高粘性化合物（１３）を含有する容器（１０）を、前記高粘性化合物（１３）を送出するために配置された送出具（１５）の上に逆さに入れることにより、前記送出具（１５）を通して前記袋（１２）からミキサー（１）中に前記高粘性化合物（１３）を移動させる方法。
【請求項２０】
前記高粘性化合物（１３）は、２５℃で６×１０4ｍＰａ．ｓ〜１×１０8ｍＰａ．ｓの粘度を有する高粘稠性ポリジオルガノシロキサンゴムである請求項１９に記載の方法。
【請求項２１】
前記高粘稠性ポリジオルガノシロキサンゴムは、
トリメチルシロキシ末端封鎖ポリジメチルシロキサンと、
ビニルジメチルシロキシ末端封鎖ポリジメチルシロキサンと、
ビニルジメチルシロキシ末端封鎖ポリジメチル／ビニルメチルシロキサンコポリマーと、
トリメチルシロキシ末端封鎖ポリジメチル／ビニルメチルシロキサンコポリマーと
からなる群から選択される請求項１９または２０に記載の方法。